(57)【要約】【課題】電源からの電力を効率的に利用する。【解決手段】エネルギー管理システムは、交流電力線を介して電力系統および負荷に接続され、直流電力線を介して電源に接続され、第一電力閾値を記憶し、電力系統から負荷へ供給される電力が第一電力閾値以上である場合、直流電力線からの直流電力を交流電力に変換して交流電力線へ出力する電力変換装置と、通信路を介して電力変換装置に接続され、直流電力線および交流電力線において計測された計測情報を電力変換装置から受信し、計測情報が変更条件を満たすか否かを判定し、計測情報が変更条件を満たすと判定された場合、第一電力閾値を変更することを指示する制御情報を生成し、制御情報を電力変換装置へ送信する電力変換制御装置と、を備える。【選択図】図１
2019083667.tif 000002
【特許請求の範囲】
【請求項１】
交流電力線を介して電力系統および負荷に接続され、直流電力線を介して電源に接続され、第一電力閾値を記憶し、前記電力系統から前記負荷へ供給される電力が前記第一電力閾値以上である場合、前記直流電力線からの直流電力を交流電力に変換して前記交流電力線へ出力する電力変換装置と、
通信路を介して前記電力変換装置に接続され、前記直流電力線および前記交流電力線において計測された計測情報を前記電力変換装置から受信し、前記計測情報が変更条件を満たすか否かを判定し、前記計測情報が前記変更条件を満たすと判定された場合、前記第一電力閾値を変更することを指示する制御情報を生成し、前記制御情報を前記電力変換装置へ送信する電力変換制御装置と、
を備え、
前記電力変換装置は、前記制御情報に応じて、前記電力変換装置に記憶された第一電力閾値を変更する、
エネルギー管理システム。
【請求項２】
前記電力変換制御装置は、前記第一電力閾値を記憶し、
前記電力変換制御装置は、前記計測情報に基づいて前記第一電力閾値の目標値を算出し、前記電力変換装置から前記電力系統への逆潮流がなく且つ前記第一電力閾値が前記目標値を上回ることを第一変更条件として、前記計測情報が前記第一変更条件を満たすか否かを判定し、前記計測情報が前記第一変更条件を満たすと判定された場合、前記第一電力閾値を減少させることを指示する前記制御情報を生成し、前記制御情報に基づいて前記電力変換制御装置に記憶された第一電力閾値を減少させる、
請求項１に記載のエネルギー管理システム。
【請求項３】
前記電力変換装置は、第二電力閾値を記憶し、前記逆潮流が前記第二電力閾値を上回る場合、前記変換を停止し、
前記電力変換制御装置は、前記逆潮流があることを第二変更条件として、前記計測情報が前記第二変更条件を満たすか否かを判定し、前記計測情報が前記第二変更条件を満たすと判定された場合、前記第一電力閾値を増加させることを指示する前記制御情報を生成し、前記制御情報に基づいて前記電力変換制御装置に記憶された第一電力閾値を増加させる、
請求項２に記載のエネルギー管理システム。
【請求項４】
前記電力変換制御装置は、前記計測情報に基づいて前記負荷による消費電力を算出し、前記消費電力に予め定められた１より小さい正の係数を乗ずることにより前記目標値を算出する、
請求項３に記載のエネルギー管理システム。
【請求項５】
前記電力変換制御装置は、前記計測情報が前記第一変更条件を満たすと判定された場合、前記電力変換制御装置に記憶された第一電力閾値から予め定められた減算値を減ずることにより、前記第一電力閾値の指示値を算出し、前記指示値を示す前記制御情報を生成し、前記電力変換制御装置に記憶された第一電力閾値を前記指示値に置き換え、
前記電力変換装置は、前記制御情報に応じて前記電力変換装置に記憶された第一電力閾値を前記指示値に置き換える、
請求項４に記載のエネルギー管理システム。
【請求項６】
前記電力変換制御装置は、前記計測情報が前記第二変更条件を満たすと判定された場合、前記電力変換制御装置に記憶された第一電力閾値に予め定められた加算値を加えることにより、前記指示値を算出する、
請求項５に記載のエネルギー管理システム。
【請求項７】
前記電源は、蓄電池を含み、
前記電力変換制御装置は、前記蓄電池の充電電力および放電電力の何れかを示す蓄電池制御情報を生成し、前記蓄電池制御情報を前記電力変換装置へ送信し、
前記電力変換装置は、前記蓄電池制御情報が前記充電電力を示す場合、前記交流電力線からの交流電力を直流電力に変換して前記直流電力線へ出力し、前記蓄電池制御情報が前記放電電力を示す場合、前記直流電力線からの直流電力を交流電力に変換して前記交流電力線へ出力する、
請求項１乃至６の何れか一項に記載のエネルギー管理システム。
【請求項８】
前記電源は、前記蓄電池を内蔵する電気自動車を含む、
請求項７に記載のエネルギー管理システム。
【請求項９】
前記電力変換制御装置は、通信ネットワークを介して上位制御装置に接続され、前記上位制御装置から前記充電電力および前記放電電力の計画を示す計画情報を受信し、前記計画情報に基づいて前記蓄電池制御情報を生成する、
請求項８に記載のエネルギー管理システム。
【請求項１０】
前記電力変換制御装置は、前記計測情報が前記変更条件を満たすと判定された場合、前記第一電力閾値の変更を示す情報を表示装置に表示させる、
請求項１乃至９の何れか一項に記載のエネルギー管理システム。
【請求項１１】
前記電源は、太陽光発電装置を含む、
請求項１乃至１０の何れか一項に記載のエネルギー管理システム。
【請求項１２】
前記第一電力閾値は、ＵＰＲ整定値である、
請求項１乃至１１の何れか一項に記載のエネルギー管理システム。
【請求項１３】
交流電力線を介して電力系統および負荷に接続され、直流電力線を介して電源に接続され、第一電力閾値を記憶し、前記電力系統から前記負荷へ供給される電力が前記第一電力閾値以上である場合、前記直流電力線からの直流電力を交流電力に変換して前記交流電力線へ出力する電力変換装置に関し、通信路を介して前記電力変換装置に接続され、前記直流電力線および前記交流電力線において計測された計測情報を受信する通信部と、
前記計測情報が変更条件を満たすか否かを判定し、前記計測情報が前記変更条件を満たすと判定された場合、前記第一電力閾値を変更することを指示する制御情報を生成する演算部と、
を備え、
前記通信部は、前記制御情報を前記電力変換装置へ送信し、
前記制御情報に応じて、前記電力変換装置に記憶された第一電力閾値は変更される、
電力変換制御装置。
【請求項１４】
交流電力線を介して電力系統および負荷に接続され、直流電力線を介して電源に接続され、第一電力閾値を記憶し、前記電力系統から前記負荷へ供給される電力が前記第一電力閾値以上である場合、前記直流電力線からの直流電力を交流電力に変換して前記交流電力線へ出力する電力変換装置に関し、前記直流電力線および前記交流電力線において計測された計測情報を受信し、
前記計測情報が変更条件を満たすか否かを判定し、
前記計測情報が前記変更条件を満たすと判定された場合、前記第一電力閾値を変更することを指示する制御情報を生成し、
前記制御情報に応じて、前記電力変換装置に記憶された第一電力閾値を変更する
ことを備える電力変換制御方法。
【発明の詳細な説明】
【技術分野】
【０００１】
本発明は、エネルギー管理システムに関する。
【背景技術】
【０００２】
近年、バッテリーから供給される電力によりモータを駆動して走行する電気自動車が使用されるようになり、家庭用のコンセントからバッテリーに充電する事例や、逆にバッテリーに充電された電力を家庭用電気機器に供給する事例が知られている。
【０００３】
特許文献１には、充放電装置が、系統電力と太陽光発電装置から電気自動車に充電し、電気自動車から放電された電力を、分電装置を介して電気機器に供給することが記載されている。
【０００４】
また、ＨＥＭＳ（Ｈｏｍｅ  Ｅｎｅｒｇｙ  Ｍａｎａｇｅｍｅｎｔ  Ｓｙｓｔｅｍ）は、各家庭の消費電力を監視、表示、および制御するシステムである。ＨＥＭＳにおいては、ＨＥＭＳコントローラ（ＨＥＭＳ  Ｃｏｎｔｒｏｌｌｅｒ）が、ＰＣＳ（Ｐｏｗｅｒ  Ｃｏｎｄｉｔｉｏｎｉｎｇ  Ｓｕｂｓｙｓｔｅｍ）を介して、ＥＶ（電気自動車：Ｅｌｅｃｔｒｉｃ  Ｖｅｈｉｃｌｅ）あるいはＰＶ（太陽光発電：Ｐｈｏｔｏｖｏｌｔａｉｃ  Ｐｏｗｅｒ  Ｇｅｎｅｒａｔｉｏｎ）などの電力機器、および電力系統などに接続される。ＰＣＳは各種の電力機器および電力系統の間で直流および交流の電力を調整する装置である。ＨＥＭＳコントローラは、監視のために常時各種電力機器の状態情報を取得したり、制御のために電力機器に制御情報を送ったりする。
【先行技術文献】
【特許文献】
【０００５】
【特許文献１】特開２０１４−０５４０１０号公報
【発明の概要】
【発明が解決しようとする課題】
【０００６】
しかしながら、ＥＶを含む家庭内の電源からの電力を家庭内の負荷へ供給する場合を想定すると、系統電力と電源と負荷との間の電力需給バランスを考慮する必要がある。また、ＰＣＳの動作により、電源からの電力を効率的に利用できない場合がある。
【０００７】
そこで本発明は、電源からの電力を効率的に利用する技術を提供することを目的とする。
【課題を解決するための手段】
【０００８】
上記課題を解決するために、本発明の一態様であるエネルギー管理システムは、交流電力線を介して電力系統および負荷に接続され、直流電力線を介して電源に接続され、第一電力閾値を記憶し、前記電力系統から前記負荷へ供給される電力が前記第一電力閾値以上である場合、前記直流電力線からの直流電力を交流電力に変換して前記交流電力線へ出力する電力変換装置と、通信路を介して前記電力変換装置に接続され、前記直流電力線および前記交流電力線において計測された計測情報を前記電力変換装置から受信し、前記計測情報が変更条件を満たすか否かを判定し、前記計測情報が前記変更条件を満たすと判定された場合、前記第一電力閾値を変更することを指示する制御情報を生成し、前記制御情報を前記電力変換装置へ送信する電力変換制御装置と、を備える。前記電力変換装置は、前記制御情報に応じて、前記電力変換装置に記憶された第一電力閾値を変更する。
【発明の効果】
【０００９】
本発明の一態様によれば、電源からの電力を効率的に利用することができる。
【図面の簡単な説明】
【００１０】
【図１】本発明の実施形態の地域エネルギー管理システムの構成を示す。
【図２】ＨＥＭＳコントローラ１００の構成を示す。
【図３】ＰＣＳ３００の構成を示す。
【図４】ＰＣＳ実績情報テーブル１１１を示す。
【図５】ＰＣＳ電力閾値テーブル１１２を示す。
【図６】充放電計画テーブル１１３を示す。
【図７】ＵＰＲ電力閾値によるＥＶ放電電力の抑制を示す。
【図８】ＵＰＲ電力閾値の減少によるＥＶ放電電力の改善を示す。
【図９】ＵＰＲ電力閾値によるＰＣＳ３００の停止を示す。
【図１０】ＵＰＲ電力閾値の増加によるＰＣＳ３００の停止の回避を示す。
【図１１】電力閾値管理処理を示す。
【図１２】電力閾値管理処理の変形例を示す。
【発明を実施するための形態】
【００１１】
本発明の実施形態について図面を参照して説明する。
【００１２】
図１は、本発明の実施形態の地域エネルギー管理システムの構成を示す。
【００１３】
本実施形態の地域エネルギー管理システムは、ＨＥＭＳセンタ５００、および複数のＨＥＭＳ４００とを含む。複数のＨＥＭＳ４００は、特定の地域内に位置する複数の家庭に夫々設けられる。ＨＥＭＳ４００は、ＨＥＭＳコントローラ１００、ＰＣＳ３００、ＰＶ１４、充放電スタンド１５、およびＥＶ１６を含む。この図において、実線は電力線を、破線は通信線を表す。通信線は、有線通信路であってもよいし、無線通信路であってもよい。
【００１４】
ＨＥＭＳコントローラ１００は、通信線を介してＰＣＳ３００に接続される。ＨＥＭＳコントローラ１００は、通信線を介してルータ５２０に接続される。ＰＣＳ３００は、電力線（交流電力線）を介して分電盤４１０に接続される。ＰＣＳ３００は、電力線（直流電力線）を介してＰＶ１４に接続される。ＰＣＳ３００は、電力線（直流電力線）を介して充放電スタンド１５に接続される。充放電スタンド１５は、電力線を介してＥＶ１６に接続される。分電盤４１０は、電力線を介して電力計４２０に接続されると共に、電力線を介して負荷１５０に接続される。電力計４２０は、電力線を介して電力系統６００に接続され、通信線を介してＰＣＳ３００に接続される。電力計４２０は、電力系統６００から分電盤４１０へ流れる購入系統電力（買電電力）を購入系統電力計測値として計測し、分電盤４１０から電力系統６００へ流れる売電電力（逆潮流電力）を売電電力計測値として計測し、購入系統電力計測値および売電電力計測値を、通信線を介してＰＣＳ３００へ送信する。ルータ５２０は、通信ネットワーク５１０に接続される。ＨＥＭＳセンタ５００は、通信ネットワーク５１０に接続される。以後、ＰＶ１４およびＥＶ１６のように、ＨＥＭＳ４００内で、発電又は放電によりＰＣＳ３００へ直流電力を供給できる装置を電源と呼ぶ。電源は、ＰＶ１４およびＥＶ１６の両方であってもよいし、一方であってもよい。なお、電源は、風力発電装置等、他の再生可能エネルギー発電装置を含んでいてもよいし、蓄電池を含んでいてもよい。
【００１５】
ＨＥＭＳ４００は、各家庭の電力需給を監視、表示、および制御するシステムである。家庭に電源があれば、電源の監視、表示、および制御は、ＨＥＭＳ４００によって行われる。ＰＣＳ３００、ＰＶ１４、充放電スタンド１５、ＥＶ１６、電力計４２０は、ＨＥＭＳによる監視、表示、制御の対象となる。
【００１６】
ＰＶ１４は、太陽光により発電を行う電力機器である。ＰＶ１４で発電された電力はＰＣＳ３００を介して家庭内のＥＶ１６、負荷１５０、あるいは電力系統６００へ供給される。
【００１７】
充放電スタンド１５は、ＥＶ１６に接続するためのコネクタを有する。充放電スタンド１５の代わりに、ＰＣＳ３００にコネクタが設けられていてもよい。
【００１８】
ＥＶ１６は内蔵する蓄電池に蓄えた電力で走行する電気自動車である。ＥＶ１６は、充放電スタンド１５を介して、ＰＣＳ３００に接続される。ＰＣＳ３００は、電力系統６００およびＰＶ１４からの電力を用いて、ＥＶ１６の蓄電池を充電することができる。また、ＥＶ１６の蓄電池に蓄えた電力をＰＣＳ３００を介して負荷１５０および電力系統６００へ供給することもできる。ＥＶ１６への充電の開始および停止は充放電スタンド１５およびＨＥＭＳコントローラ１００の両方から制御することができる。なお、ＥＶ１５の代わりに、プラグインハイブリッド車、電動二輪車等、蓄電池を含み電力線に接続されて蓄電池を充電することができる、他の輸送機械が用いられてもよい。これにより、ＰＶ１４の発電電力の余剰分を用いてＥＶ１５を充電することや、ＥＶ１５から放電することにより電力系統６００からの電力を削減することなどにより、ＰＶ１４とＥＶ１６を有効に利用することができる。
【００１９】
ＰＣＳ３００は、ＰＶ１４、充放電スタンド１５、ＥＶ１６などの電力機器に接続され、それらの電力機器が入出力する電力を調整するとともに、各電力機器が入出力する電力の状態を計測している。電力機器とＰＣＳ３００とが入出力する電力には直流電力と交流電力があるので、ＰＣＳ３００は直流と交流の変換も行っている。また、本実施形態のＨＥＭＳ４００は、放電を行うＥＶ１６を含むので、ＰＣＳ３００は、電力系統６００から電源への方向と、電源から電力系統６００への方向の両方向の電力の流れを扱うことができる双方向ＰＣＳである。ＰＣＳ３００は、ＰＣＳ３００および電力計４２０により計測された状態を示すＰＣＳ実績情報を生成して記憶し、ＨＥＭＳコントローラ１００へ送信する。例えば、ＰＣＳ３００は、ＰＶ１４の発電によりＰＶ１４から分電盤４１０へ出力されるＰＶ発電電力を計測することによりＰＶ発電電力計測値を生成し、ＥＶ１６の充電のためにＰＣＳ３００からＥＶ１６へ出力されるＥＶ充電電力を計測することにより、ＥＶ充電電力計測値を生成し、ＥＶ１６の放電によりＥＶ１６から分電盤４１０へ出力されるＥＶ放電電力を計測することにより、ＥＶ放電電力計測値を生成する。
【００２０】
ＨＥＭＳセンタ５００は、地域の天気情報等、地域の電力需給に影響を与える電力関連情報を外部から取得し、複数のＨＥＭＳ４００からＰＣＳ実績情報を取得する。ＨＥＭＳセンタ５００は更に、電力需給情報およびＰＣＳ実績情報に基づいて、複数のＨＥＭＳ４００内のＥＶ１６の充放電計画情報を作成し、通信ネットワーク５１０を介して複数のＨＥＭＳ４００へ充放電計画情報を送信する。即ち、ＨＥＭＳセンタ５００は、地域内の充放電を計画することにより、地域内の電力需給を調整する。
【００２１】
ＨＥＭＳコントローラ１００は、ＨＥＭＳ４００を制御するコントローラであり、予め設定されたタイミングでＰＣＳ３００から、状態情報を取得して記憶すると共に、予め設定されたタイミングでＰＣＳ３００を用いて電源を制御する。
【００２２】
図２は、ＨＥＭＳコントローラ１００の構成を示す。
【００２３】
ＨＥＭＳコントローラ１００は、ＣＰＵ（Ｃｅｎｔｒａｌ  Ｐｒｏｃｅｓｓｉｎｇ  Ｕｎｉｔ）１０１、入力部１０３、出力部１０４、記憶部１１０、通信部１０９を含む。入力部１０３は例えば、キーボードやボタン類などの入力装置である。出力部１０４は例えば、ディスプレイなどの表示装置である。通信部１０９は、ＣＰＵ１０１からの指示に従って、ＰＣＳ３００、ルータ５２０等と通信を行う。
【００２４】
記憶部１１０は、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、フラッシュメモリ等である。記憶部１１０は、制御指示部１０６、画面表示部１０７、制御指示算定部１０８のためのプログラムを格納する。記憶部１１０は更に、ＰＣＳ実績情報テーブル１１１、ＰＣＳ電力閾値テーブル１１２、充放電計画テーブル１１３等を格納する。
【００２５】
ＣＰＵ１０１は、記憶部１１０に格納されたプログラムに従って、制御指示部１０６、画面表示部１０７、制御指示算定部１０８を実行する。
【００２６】
制御指示算定部１０８は、通信部１０９を用いて、予め設定された時間間隔で定期的に、ＰＣＳ３００からＰＣＳ実績情報を受信し、受信されたＰＣＳ実績情報をＰＣＳ実績情報テーブル１１１として記憶部１１０へ保存する。制御指示算定部１０８は更に、ＰＣＳ実績情報テーブル１１１およびＰＣＳ電力閾値テーブル１１２に基づいてＰＣＳ３００の整定値であるＰＣＳ電力閾値を算出し、算出されたＰＣＳ電力閾値をＰＣＳ電力閾値テーブル１１２に保存する。ＰＣＳ電力閾値は、ＨＥＭＳ４００から電力系統６００への逆潮流電力を検出するための電力閾値であるＲＰＲ（ｒｅｖｅｒｓｅ  ｐｏｗｅｒ  ｒｅｌａｙ：逆電力継電器）電力閾値や、電力系統６００の停電等、電力系統６００からＨＥＭＳ４００への電力の不足を検出するための電力閾値であるＵＰＲ（ｕｎｄｅｒｐｏｗｅｒ  ｒｅｌａｙ：不足電力継電器）電力閾値等である。制御指示算定部１０８は更に、通信部１０９を用いて、ＨＥＭＳセンタ５００から充放電計画を受信し、充放電計画テーブル１１３として記憶部１１０へ保存する。
【００２７】
制御指示部１０６は、ＰＣＳ電力閾値を含むＰＣＳ制御情報を、通信部１０９を用いてＰＣＳ３００へ送信する。制御指示部１０６は更に、充放電計画テーブル１１３から現在の充放電電力の計画値である充放電電力計画値を含むＰＣＳ制御情報を、通信部１０９を用いてＰＣＳ３００へ送信する。充放電電力計画値は、ＥＶ１６の充電電力の計画値である充電電力計画値と、ＥＶ１６の放電電力の計画値である放電電力計画値との何れかである。
【００２８】
画面表示部１０７は、ＰＣＳ実績情報テーブル１１１、ＰＣＳ電力閾値テーブル１１２、充放電計画テーブル１１３等の内容を出力部１０４に表示させる。例えば、画面表示部１０７は、ＰＣＳ電力閾値を出力部１０４に表示させてもよいし、充放電電力計画値を出力部１０４に表示させてもよい。
【００２９】
本発明は、ＨＥＭＳ４００の代わりに、工場に設けられるＦＥＭＳ（Ｆａｃｔｏｒｙ  Ｅｎｅｒｇｙ  Ｍａｎａｇｅｍｅｎｔ  Ｓｙｓｔｅｍ）、建物に設けられる建物エネルギー管理システムなどの、各種エネルギー管理システム（ｘＥＭＳ）に適用することができる。また、ＨＥＭＳセンタ５００は、地域に設けられるＣＥＭＳ（Ｃｏｍｍｕｎｉｔｙ  Ｅｎｅｒｇｙ  Ｍａｎａｇｅｍｅｎｔ  Ｓｙｓｔｅｍ）のコントローラであってもよい。
【００３０】
以下、ＰＣＳ３００について説明する。
【００３１】
図３は、ＰＣＳ３００の構成を示す。
【００３２】
ＰＣＳ３００は、太陽光発電電力入力部２０、系統電力入出力部２１、自動車電力入出力部２２、ＤＣ−ＤＣ電力変換部２３ａ、ＡＣ−ＤＣ電力変換部２３ｂ、ＤＣ−ＤＣ電力変換部２３ｃ、制御部２５、通信部２７、記憶部２８を含む。この図において、実線は電力線、破線は通信線を表す。
【００３３】
太陽光発電電力入力部２０は、電力線を介してＰＶ１４に接続され、ＰＶ１４により発電される直流電力を受ける。系統電力入出力部２１は、電力線を介して分電盤４１０に接続され、電力系統６００からの交流電力を分電盤４１０から受けたり、ＡＣ−ＤＣ電力変換部２３ｂから出力される交流電力を分電盤４１０へ送ったりする。自動車電力入出力部２２は、電力線を介して充放電スタンド１５に接続され、ＥＶ１６により放電される直流電力から充放電スタンド１５を介して受けたり、ＤＣ−ＤＣ電力変換部２３ｃにより出力される直流電力を充放電スタンド１５を介してＥＶ１６へ送ったりする。ＤＣ−ＤＣ電力変換部２３ａは、太陽光発電電力入力部２０からの直流電力の電圧を変換する。ＤＣ−ＤＣ電力変換部２３ｃは、自動車電力入出力部２２からの直流電力の電圧を変換してＡＣ−ＤＣ電力変換部２３ｂへ送ったり、ＤＣ−ＤＣ電力変換部２３ａおよびＡＣ−ＤＣ電力変換部２３ｂからの直流電力の電圧を変換して自動車電力入出力部２２へ送ったりする。ＡＣ−ＤＣ電力変換部２３ｂは、インバータとして、ＤＣ−ＤＣ電力変換部２３ａおよびＤＣ−ＤＣ電力変換部２３ｃからの直流電力を交流電力に変換して系統電力入出力部２１へ送ったり、コンバータとして、系統電力入出力部２１からの交流電力を直流電力に変換してＤＣ−ＤＣ電力変換部２３ｃへ送ったりする。
【００３４】
なお、本実施形態の系統電力入出力部２１は、単相２線式の電力線により分電盤４１０に接続される。なお、この電力線は、単相３線式や三相３線式等であってもよい。また、ＰＣＳ電力閾値は、電力の代わりに電力量、電流等で表されてもよい。
【００３５】
通信部２７は、通信線を介してＨＥＭＳコントローラ１００に接続され、ＨＥＭＳコントローラ１００からＰＣＳ制御情報を受信して記憶部２８へ保存し、記憶部２８に格納されるＰＣＳ実績情報をＨＥＭＳコントローラ１００へ送信する。また、通信部２７は、電力計４２０から電力の計測値を受信する。
【００３６】
制御部２５は、ＤＣ−ＤＣ電力変換部２３ａ、ＡＣ−ＤＣ電力変換部２３ｂ、ＤＣ−ＤＣ電力変換部２３ｃ、電力計４２０により計測された電力の計測値をＰＣＳ実績情報として記憶部２８へ保存する。
【００３７】
制御部２５は、ＨＥＭＳコントローラ１００から受信されるＰＣＳ制御情報を記憶部２８へ保存し、ＰＣＳ制御情報に基づいて、ＤＣ−ＤＣ電力変換部２３ａ、ＡＣ−ＤＣ電力変換部２３ｂ、ＤＣ−ＤＣ電力変換部２３ｃを制御する。ＰＣＳ制御情報は、ＰＣＳ３００に設定されるＰＣＳ電力閾値、又はＥＶ１６のための充放電電力計画値を示す。充放電電力計画値がＥＶ１６の充電電力の計画値である充電電力計画値を示す場合、制御部２５は、ＤＣ−ＤＣ電力変換部２３ａ、ＡＣ−ＤＣ電力変換部２３ｂ、ＤＣ−ＤＣ電力変換部２３ｃを制御することにより、充電電力計画値を上限とする電力をＤＣ−ＤＣ電力変換部２３ｃに変換させ、自動車電力入出力部２２へ送る。充放電電力計画値がＥＶ１６の放電電力の計画値である放電電力計画値を示す場合、制御部２５は、ＤＣ−ＤＣ電力変換部２３ａ、ＡＣ−ＤＣ電力変換部２３ｂ、ＤＣ−ＤＣ電力変換部２３ｃを制御することにより、放電電力計画値を上限とする電力を自動車電力入出力部２２から受け、ＤＣ−ＤＣ電力変換部２３ｃに変換させる。
【００３８】
以下、ＨＥＭＳコントローラ１００に格納される情報について説明する。
【００３９】
図４は、ＰＣＳ実績情報テーブル１１１を示す。
【００４０】
ＰＣＳ実績情報テーブル１１１は、計測された時刻毎のエントリを有する。或る時刻に対応するエントリは、当該時刻と、当該時刻に計測されたＰＶ発電電力計測値［Ｗ］と、当該時刻に計測された購入系統電力計測値［Ｗ］と、当該時刻に計測された売電電力計測値［Ｗ］と、当該時刻に計測されたＥＶ充電電力計測値［Ｗ］と、当該時刻に計測されたＥＶ放電電力計測値［Ｗ］とを含む。なお、ＰＣＳ実績情報テーブル１１１は、最新の時刻のエントリを有していてもよいし、複数の時刻にそれぞれ対応する複数のエントリを有していてもよい。なお、電力計４２０は、通信線を介してＨＥＭＳコントローラ１００に接続されてもよい。この場合、ＨＥＭＳコントローラ１００は、電力計４２０より計測された購入系統電力計測値および売電電力計測値を受信し、ＰＣＳ実績情報テーブル１１２に登録する。
【００４１】
図５は、ＰＣＳ電力閾値テーブル１１２を示す。
【００４２】
ＰＣＳ電力閾値テーブル１１２は、ＰＣＳ３００に設定されているＰＣＳ電力閾値を示す。ＰＣＳ電力閾値は、ＲＰＲ電力閾値とＵＰＲ電力閾値とを含む。なお、ＲＰＲ電力閾値は、ＲＰＲ整定値と呼ばれることがある。ＵＰＲ電力閾値は、ＵＰＲ整定値と呼ばれることがある。
【００４３】
図６は、充放電計画テーブル１１３を示す。
【００４４】
充放電計画テーブル１１３は、ＨＥＭＳセンタ５００から受信された充放電計画を示し、時刻毎のエントリを有する。或る時刻に対応するエントリは、当該時刻と、当該時刻におけるＥＶ充電電力の計画値である充電電力計画値［Ｗ］と、当該時刻におけるＥＶ放電電力の計画値である放電電力計画値［Ｗ］とを含む。充電電力計画値および放電電力計画値の一方が正であれば、他方は０である。
【００４５】
以下、ＰＣＳ電力閾値に基づくＰＣＳ３００の動作について説明する。
【００４６】
ＰＣＳ電力閾値は例えば、系統連系規定等の規格により定められる、ＵＰＲ電力閾値でも良く、ＰＣＳ３００から分電盤４１０への出力（インバータ）の定格電力の３％程度である。ＲＰＲ電力閾値は例えば、定格電力の５％程度である。
【００４７】
本実施形態では、規格に基づき、ＵＰＲ電力閾値に対し、ＵＰＲ標準値とＵＰＲ許容偏差が定められ、それらに基づいてＵＰＲ許容範囲が定められる。ＵＰＲ許容範囲は、ＵＰＲ下限値とＵＰＲ上限値により定められる。ＵＰＲ下限値はＵＰＲ標準値−ＵＰＲ許容偏差であり、ＵＰＲ上限値はＵＰＲ標準値＋ＵＰＲ許容偏差である。例えば、ＵＰＲ標準値は定格電力の３％であり、ＵＰＲ許容偏差は定格電力の１％である。
【００４８】
また、本実施形態では、規格に基づき、ＲＰＲ電力閾値に対し、ＲＰＲ標準値とＲＰＲ許容偏差が定められ、それらに基づいてＲＰＲ許容範囲が定められる。ＲＰＲ許容範囲は、ＲＰＲ下限値とＲＰＲ上限値により定められる。ＲＰＲ下限値はＲＰＲ標準値−ＲＰＲ許容偏差であり、ＲＰＲ上限値はＲＰＲ標準値＋ＲＰＲ許容偏差である。例えば、ＲＰＲ標準値は定格電力の５％であり、ＲＰＲ許容偏差は定格電力の１％である。
【００４９】
ＰＣＳ３００は、ＰＣＳ実績情報に基づいて、売電電力計測値がＲＰＲ電力閾値をある一定時間超える場合、ＰＣＳ３００を停止する。その後、ユーザがＰＣＳ３００に対して復帰の操作を行うことにより、ＰＣＳ３００は、動作を再開する。
【００５０】
ここでは、負荷１５０による消費電力を家庭消費電力と呼ぶ。ＰＣＳ３００は、家庭消費電力がＵＰＲ電力閾値以下である場合、ＥＶ放電電力やＰＶ発電電力より購入系統電力を優先するために、電源からの電力の変換および出力を行わない。また、ＵＰＲ電力閾値が家庭消費電力に対して不足する場合、ＰＣＳ３００は、不足分を、放電電力計画値を上限としてＥＶ放電電力により補う。言い換えれば、ＰＣＳ３００は、購入系統電力がＵＰＲ電力閾値以上である場合、電源からの電力を変換して分電盤４１０へ出力する。これにより、ＥＶ放電電力は、家庭消費電力からＵＰＲ電力閾値を減じた差分値と放電電力計画値との、低い方の電力になる。また、ＵＰＲ電力閾値とＥＶ放電電力の合計が家庭消費電力に対して不足する場合、不足分は購入系統電力により補われる。なお、ＵＰＲ電力閾値が家庭消費電力に対して不足する場合、ＰＣＳ３００は、不足分を、ＰＶ発電電力により補ってもよい。この場合、ＵＰＲ電力閾値とＥＶ放電電力とＰＶ発電電力の合計が家庭消費電力に対して不足する場合、不足分は購入系統電力により補われる。
【００５１】
以下、ＰＣＳ電力閾値に基づくＰＣＳ３００の動作の具体例について説明する。ここでは、簡単のため、ＰＶ発電電力を０とする。
【００５２】
まず、比較例として、ＵＰＲ電力閾値の変更を行わない場合のＰＣＳの動作を示す。
【００５３】
図７は、比較例のＵＰＲ電力閾値によるＥＶ放電電力の抑制を示す。
【００５４】
状態Ａ１は、ＵＰＲ電力閾値が１００Ｗに設定され、放電電力計画値が７０Ｗに設定され、家庭消費電力が１７０Ｗである状態を示す。この状態Ａ１において、購入系統電力はＵＰＲ電力閾値に等しい１００Ｗになり、ＥＶ放電電力は家庭消費電力からＵＰＲ電力閾値を減じた差分値等しい７０Ｗになる。
【００５５】
その後の状態Ａ２において、家庭消費電力が１２０Ｗに減少した場合、ＥＶ放電電力が７０Ｗであるため、一時的に購入系統電力は５０Ｗに減少する。
【００５６】
その後の状態Ａ３において、購入系統電力がＵＰＲ電力閾値に等しい１００Ｗまで増加し、家庭消費電力からＵＰＲ電力閾値を減じた差分値が２０Ｗになるため、ＰＣＳ３００は、ＥＶ放電電力が差分値以下になるようにＥＶ放電電力を抑制する。これにより、ＥＶ放電電力は２０Ｗになる。
【００５７】
この動作によれば、ＥＶ放電電力は、放電電力計画値に比べて大幅に低くなってしまう。
【００５８】
次に、本実施形態のＨＥＭＳコントローラ１００により、ＵＰＲ電力閾値を減少させる場合を示す。
【００５９】
図８は、ＵＰＲ電力閾値の減少によるＥＶ放電電力の改善を示す。
【００６０】
状態Ｂ１において、放電電力計画値および家庭消費電力は、状態Ａ１と同一であるが、ＵＰＲ電力閾値を１００Ｗから７０Ｗに減少させている。この状態Ｂ１において、状態Ａ１と同様、購入系統電力はＵＰＲ電力閾値に等しい７０Ｗになり、ＥＶ放電電力は家庭消費電力からＵＰＲ電力閾値を減じた差分値に等しい１００Ｗになる。
【００６１】
その後の状態Ｂ２において、家庭消費電力が１２０Ｗに減少した場合、ＥＶ放電電力が１００Ｗであるため、一時的に購入系統電力は２０Ｗに減少する。
【００６２】
その後の状態Ｂ３において、購入系統電力がＵＰＲ電力閾値に等しい７０Ｗまで増加し、家庭消費電力からＵＰＲ電力閾値を減じた差分値が５０Ｗになるため、ＰＣＳ３００は、ＥＶ１６から受ける電力を差分値に合わせるように抑制する。これにより、ＥＶ放電電力が５０Ｗになる。
【００６３】
この動作によれば、状態Ａ３に比べて、ＵＰＲ電力閾値を減少させたことにより、ＥＶ放電電力を増加させ、購入系統電力を減少させることができる。
【００６４】
次に、比較例として、ＵＰＲ電力閾値の変更を行わない場合のＰＣＳの動作を示す。
【００６５】
図９は、比較例のＵＰＲ電力閾値によるＰＣＳ３００の停止を示す。
【００６６】
状態Ｃ１は、ＵＰＲ電力閾値が５０Ｗに設定され、ＲＰＲ電力閾値が８０Ｗに設定され、放電電力計画値が１５０Ｗに設定され、家庭消費電力が２００Ｗである状態を示す。この状態Ｃ１において、購入系統電力はＵＰＲ電力閾値に等しい５０Ｗになり、ＥＶ放電電力は家庭消費電力からＵＰＲ電力閾値を減じた差分値に等しい１５０Ｗになる。
【００６７】
その後の状態Ｃ２において、家庭消費電力が５０Ｗに減少した場合、ＥＶ放電電力が１５０Ｗであるため、一時的に電力系統６００への逆潮流電力が、ＥＶ放電電力から家庭消費電力を減じた値である１００Ｗになる。
【００６８】
その後の状態Ｃ３において、逆潮流電力がＲＰＲ電力閾値を超えたため、ＰＣＳ３００は停止し、ＥＶ１６からの電力を変換しなくなる。これにより、ＥＶ放電電力は０Ｗになり、購入系統電力は家庭消費電力に等しい５０Ｗになる。
【００６９】
この動作によれば、ＰＣＳ３００が停止するため、その後に家庭消費電力がＵＰＲ電力閾値を超えてもＥＶ１６からの電力を利用することができない。また、その後にＥＶ１６からの電力を利用するためには、ＰＣＳ３００を復帰させるための作業と時間が必要になる。
【００７０】
次に、本実施形態のＨＥＭＳコントローラ１００により、ＵＰＲ電力閾値を増加させる場合を示す。
【００７１】
図１０は、ＵＰＲ電力閾値の増加によるＰＣＳ３００の停止の回避を示す。
【００７２】
状態Ｄ１において、ＲＰＲ電力閾値、放電電力計画値、および家庭消費電力は、状態Ｃ１と同一であるが、ＵＰＲ電力閾値を５０Ｗから８０Ｗに増加させている。この状態Ｄ１において、状態Ｃ１と同様、購入系統電力はＵＰＲ電力閾値に等しい８０Ｗになり、ＥＶ放電電力は家庭消費電力からＵＰＲ電力閾値を減じた差分値に等しい１２０Ｗになる。
【００７３】
その後の状態Ｄ２において、家庭消費電力が５０Ｗに減少した場合、ＥＶ放電電力が１２０Ｗであるため、一時的に電力系統６００への逆潮流電力が、ＥＶ放電電力から家庭消費電力を減じた値である７０Ｗになる。
【００７４】
その後の状態Ｄ３において、逆潮流電力がＲＰＲ電力閾値を超えないため、ＰＣＳ３００は停止しない。また、家庭消費電力がＵＰＲ電力閾値より低いため、ＰＣＳ３００は、ＥＶ１６からの電力を受けない。これにより、ＥＶ放電電力は０Ｗになり、購入系統電力は、家庭消費電力に等しい５０Ｗになる。
【００７５】
この動作によれば、状態Ｃ３に比べて、ＰＣＳ３００が停止しないため、ＰＣＳ３００の復帰の作業を必要としない。また、その後に家庭消費電力がＵＰＲ電力閾値を超えた場合、すぐにＥＶ１６からの電力を変換して負荷１５０へ供給することができる。
【００７６】
以上に述べたように、ＵＰＲ電力閾値が高すぎると、家庭消費電力に対して購入系統電力の割合が大きくなり、ＥＶ放電電力が抑制される。また、ＵＰＲ電力閾値が低すぎると、逆潮流が発生した場合にＰＣＳ３００が停止する。
【００７７】
以下、ＥＶ放電電力の抑制やＰＣＳ３００の停止を防ぐために、ＨＥＭＳコントローラ１００がＰＣＳ３００のＵＰＲ電力閾値を管理する電力閾値管理処理について説明する。
【００７８】
図１１は、電力閾値管理処理を示す。
【００７９】
ＨＥＭＳコントローラ１００は、予め定められた管理時間の間隔で電力閾値管理処理を開始する。管理時間は例えば１分である。
【００８０】
Ｓ１１０においてＨＥＭＳコントローラ１００は、ＰＣＳ３００からＰＣＳ実績情報を収集するＰＣＳ実績情報収集処理を行う。ＰＣＳ実績情報は、ＰＶ発電電力計測値と、購入系統電力計測値と、売電電力計測値と、ＥＶ充電電力計測値と、ＥＶ放電電力計測値とを含む。その後、Ｓ１２０においてＨＥＭＳコントローラ１００は、収集されたＰＣＳ実績情報をＰＣＳ実績情報テーブルへ登録するＰＣＳ実績情報登録処理を行う。
【００８１】
その後、Ｓ２１０においてＨＥＭＳコントローラ１００は、ＰＣＳ実績情報テーブルから、ＰＶ発電電力計測値、購入系統電力計測値、売電電力計測値、ＥＶ充電電力計測値、ＥＶ放電電力計測値を取得するＰＣＳ実績情報取得処理を行う。その後、Ｓ２２０においてＨＥＭＳコントローラ１００は、ＰＣＳ電力閾値テーブルからＵＰＲ電力閾値を取得するＰＣＳ電力閾値取得処理を行う。
【００８２】
その後、Ｓ３１０においてＨＥＭＳコントローラ１００は、売電電力計測値を逆潮流電力とし、逆潮流電力が正であるか否かを判定する。
【００８３】
逆潮流電力が正であると判定された場合（Ｓ３１０：Ｙ）、Ｓ３２０においてＨＥＭＳコントローラ１００は、ＵＰＲ電力閾値に予め定められたＵＰＲ加算値を加えることにより、新たなＵＰＲ電力閾値（指示値）を算出するＵＰＲ電力閾値加算処理を行う。これにより、ＵＰＲ電力閾値を増加させることができる。ＵＰＲ加算値が過度に大きいと、購入系統電力の増加とＥＶ放電電力の抑制に繋がるため、ＵＰＲ加算値はＵＰＲ許容偏差より小さいことが望ましい。
【００８４】
その後、Ｓ４１０においてＨＥＭＳコントローラ１００は、新たなＵＰＲ電力閾値を示すＰＣＳ制御情報をＰＣＳ３００へ送信することにより、新たなＵＰＲ電力閾値をＰＣＳ３００に保存すると共に、新たなＵＰＲ電力閾値をＰＣＳ電力閾値テーブル１１２に保存するＵＰＲ電力閾値更新処理を行い、このフローを終了する。ここでＨＥＭＳコントローラ１００は、新たなＵＰＲ電力閾値がＵＰＲ許容範囲外である場合、新たなＵＰＲ電力閾値をＵＰＲ許容範囲に制限する。例えば、新たなＵＰＲ電力閾値がＵＰＲ下限値を下回る場合、ＨＥＭＳコントローラ１００は、新たなＵＰＲ電力閾値をＵＰＲ下限値に等しくする。また、新たなＵＰＲ電力閾値がＵＰＲ上限値を上回る場合、ＨＥＭＳコントローラ１００は、新たなＵＰＲ電力閾値をＵＰＲ上限値に等しくする。
【００８５】
逆潮流電力が正でないと判定された場合（Ｓ３１０：Ｎ）、Ｓ３５０においてＨＥＭＳコントローラ１００は、ＵＰＲ電力閾値からＵＰＲ減算値を減ずることにより、新たなＵＰＲ電力閾値（指示値）を算出するＵＰＲ電力閾値減算処理を行う。ＵＰＲ減算値が過度に大きいと、逆潮流電力の増加とＰＣＳの停止に繋がるため、ＵＰＲ減算値はＵＰＲ許容偏差より小さいことが望ましい。
【００８６】
その後、Ｓ３６０においてＨＥＭＳコントローラ１００は、ＰＣＳ実績情報テーブルに基づいて家庭消費電力の計測値である家庭消費電力計測値を算出し、家庭消費電力計測値に基づいてＵＰＲ電力閾値の目標値であるＵＰＲ電力閾値目標値を算出し、ＵＰＲ電力閾値がＵＰＲ電力閾値目標値より小さいか否かを判定する。ここでＨＥＭＳコントローラ１００は、家庭消費電力計測値は、次式により算出する。
【００８７】
家庭消費電力計測値
＝  ＰＶ発電電力計測値＋購入系統電力計測値−売電電力計測値
−ＥＶ充電電力計測値＋ＥＶ放電電力計測値
【００８８】
更にＨＥＭＳコントローラ１００は、家庭消費電力計測値に予め定められたＵＰＲ係数を乗ずることによりＵＰＲ電力閾値目標値を算出する。ＵＰＲ係数は０より大きく１より小さく、例えば０．６である。
【００８９】
ＵＰＲ電力閾値がＵＰＲ電力閾値目標値以上であると判定された場合（Ｓ３６０：Ｎ）、ＨＥＭＳコントローラ１００は、処理をＳ３５０へ移行させる。これにより、ＨＥＭＳコントローラ１００は、ＵＰＲ電力閾値がＵＰＲ電力閾値目標値より小さくなるまでＵＰＲ電力閾値を減少させることができる。言い換えれば、現在のＵＰＲ電力閾値がＵＰＲ電力閾値目標値より小さい場合、ＨＥＭＳコントローラ１００は、ＵＰＲ電力閾値を減少させない。なお、ＨＥＭＳコントローラ１００は、ＵＰＲ電力閾値をＵＰＲ電力閾値目標値に等しくしてもよい。
【００９０】
ＵＰＲ電力閾値がＵＰＲ電力閾値目標値より小さいと判定された場合（Ｓ３６０：Ｙ）、Ｓ４１０においてＨＥＭＳコントローラ１００は、ＵＰＲ電力閾値を示すＰＣＳ制御情報をＰＣＳ３００へ送信することにより、ＵＰＲ電力閾値をＰＣＳ３００に保存し、このフローを終了する。
【００９１】
なお、Ｓ４１０においてＨＥＭＳコントローラ１００は、ＵＰＲ電力閾値の代わりに、ＵＰＲ電力閾値の変化量を示すＰＣＳ制御情報をＰＣＳ３００へ送信してもよい。また、ＰＣＳ３００は、ＵＰＲ電力閾値の増加量および減少量を記憶していてもよい。この場合、Ｓ４１０においてＨＥＭＳコントローラ１００は、ＵＰＲ電力閾値の代わりに、ＵＰＲ電力閾値の増加又は減少を示すＰＣＳ制御情報をＰＣＳ３００へ送信し、ＰＣＳ３００は、ＰＣＳ制御情報に応じて、ＵＰＲ電力閾値を増加量だけ増加させること、又はＵＰＲ電力閾値を減少量だけ減少させることを行ってもよい。
【００９２】
画面表示部１０７は、ＨＥＭＳ４００の状態を示す画面を出力部１０４に表示させる。例えば、画面は、ＵＰＲ電力閾値、ＥＶ放電電力計測値、購入系統電力計測値、家庭消費電力計測値等を表示する。
【００９３】
以上の電力閾値管理処理によれば、ＨＥＭＳコントローラ１００は、ＵＰＲ電力閾値を最適化することができる。これにより、ＵＰＲ電力閾値が低すぎることによるＰＣＳ３００の停止を防ぐと共に、ＵＰＲ電力閾値が高すぎることによるＥＶ放電電力の過度の抑制を防ぐことができる。また、ＨＥＭＳコントローラ１００は、ＵＰＲ電力閾値目標値を算出することにより、家庭消費電力計測値に応じてＵＰＲ電力閾値を変更することができる。ＨＥＭＳ４００の管理者は、ＵＰＲ係数を定めることにより、購入系統電力と電源からの供給電力との比を設定することができる。
【００９４】
以下、電力閾値管理処理の変形例について説明する。
【００９５】
図１２は、電力閾値管理処理の変形例を示す。
【００９６】
電力閾値管理処理の変形例において、ＨＥＭＳコントローラ１００は、予め定められた収集時間の間隔で実績収集処理を開始し、予め定められた調整時間の間隔で電力閾値調整処理を開始する。収集時間は例えば１分であり、調整時間は収集時間より十分長く、例えば１週間である。
【００９７】
実績収集処理が開始されると、ＨＥＭＳコントローラ１００は、電力閾値管理処理と同様、Ｓ１１０、Ｓ１２０を実行し、このフローを終了する。
【００９８】
以上のＰＣＳ実績収集処理によれば、ＨＥＭＳコントローラ１００は、収集時間間隔でＰＣＳ実績情報を収集して記憶することができる。
【００９９】
電力閾値調整処理が開始されると、Ｓ２１０ｂにおいてＨＥＭＳコントローラ１００は、前回の電力閾値調整処理から現在までを計測期間とし、計測期間内の、ＰＶ発電電力計測値、購入系統電力計測値、売電電力計測値、ＥＶ充電電力計測値、ＥＶ放電電力計測値を、ＰＣＳ実績情報テーブルから取得する。その後、Ｓ２２０においてＨＥＭＳコントローラ１００は、ＰＣＳ電力閾値テーブルからＵＰＲ電力閾値とＵＰＲ加算値とＵＰＲ減算値を取得する。
【０１００】
その後、Ｓ３１０ｂにおいてＨＥＭＳコントローラ１００は、売電電力計測値を逆潮流電力とし、計測期間内の逆潮流電力の最大値が正であるか否かを判定する。
【０１０１】
逆潮流電力の最大値が正であると判定された場合（Ｓ３１０ｂ：Ｙ）、電力閾値管理処理と同様、Ｓ３２０、Ｓ４１０を実行し、このフローを終了する。
【０１０２】
逆潮流電力の最大値が正でないと判定された場合（Ｓ３１０ｂ：Ｎ）、Ｓ３５０においてＨＥＭＳコントローラ１００は、ＵＰＲ電力閾値からＵＰＲ減算値を減ずることにより、新たなＵＰＲ電力閾値を算出する。
【０１０３】
その後、Ｓ３６０ｂにおいてＨＥＭＳコントローラ１００は、計測期間内の家庭消費電力計測値の最大値を算出し、家庭消費電力計測値の最大値に基づいてＵＰＲ電力閾値目標値を算出し、ＵＰＲ電力閾値がＵＰＲ電力閾値目標値より小さいか否かを判定する。ここでＨＥＭＳコントローラ１００は、家庭消費電力計測値の最大値にＵＰＲ係数を乗ずることによりＵＰＲ電力閾値目標値を算出する。
【０１０４】
ＵＰＲ電力閾値がＵＰＲ電力閾値目標値より小さいと判定された場合（Ｓ３６０ｂ：Ｙ）、Ｓ４１０においてＨＥＭＳコントローラ１００は、ＵＰＲ電力閾値をＰＣＳ３００へ送信することにより、ＵＰＲ電力閾値をＰＣＳ３００に保存し、このフローを終了する。
【０１０５】
以上の電力閾値調整処理によれば、ＨＥＭＳコントローラ１００は、計測期間内のＰＣＳ実績情報に基づいて、ＵＰＲ電力閾値を最適化することができる。また、電力閾値管理処理に比べて、この変形例は、ＨＥＭＳコントローラ１００の負荷を軽減することができる。
【０１０６】
なお、画面表示部１０７は、電力閾値管理処理又は電力閾値調整処理によりＵＰＲ電力閾値を変更した場合、ＵＰＲ電力閾値の変更を示す情報を出力部１０４に表示させてもよい。これにより、管理者は、ＵＰＲ電力閾値の変更や、現在のＵＰＲ電力閾値を認識することができる。
【０１０７】
本実施形態によれば、ＨＥＭＳコントローラ１００は、ＨＥＭＳ４００における電力の計測値が変更条件を満たす場合に、ＰＣＳ３００のＵＰＲ電力閾値を変更することができる。第一変更条件は例えば、逆潮流がなく、且つＵＰＲ電力閾値がＵＰＲ電力閾値目標値を上回ることである。第二変更条件は例えば、逆潮流があることである。また、ＨＥＭＳコントローラ１００が計測値に応じてＵＰＲ電力閾値を変更することにより、電源の出力の抑制や、ＰＣＳ３００の停止を防ぐことができる。また、電源としてＥＶ１６およびＰＶを用いることにより、ＰＶ１４の発電電力を用いてＥＶ１６を充電することができ、ＥＶ１６の放電電力を負荷１５０へ供給することができる。これにより、購入系統電力を減らし、ＰＶ１４およびＥＶ１６を効率的に利用することができる。また、ＨＥＭＳセンタ５００が充放電計画を作成し、ＨＥＭＳコントローラ１００が充放電計画に基づいてＥＶ１６の充放電を制御することにより、地域の電力需給を調整することができる。
【０１０８】
本発明の表現のための用語について説明する。エネルギー管理システムとして、ＨＥＭＳ４００等が用いられてもよい。電力変換制御装置として、ＨＥＭＳコントローラ１００等が用いられてもよい。電力変換装置として、ＰＣＳ３００等が用いられてもよい。電源として、ＥＶ１６、ＰＶ１４等が用いられてもよい。計測情報として、ＰＣＳ実績情報等が用いられてもよい。制御情報として、ＰＣＳ制御情報等が用いられてもよい。第一電力閾値として、ＵＰＲ電力閾値等が用いられてもよい。第二電力閾値として、ＲＰＲ電力閾値等が用いられてもよい。上位制御装置として、ＨＥＭＳセンタ５００等が用いられてもよい。蓄電池制御情報として、充放電電力計画値等が用いられてもよい。計画情報として、充放電計画情報等が用いられてもよい。係数として、ＵＰＲ係数等が用いられてもよい。通信ネットワークとして、通信ネットワーク５１０、ルータ５２０等が用いられてもよい。
【符号の説明】
【０１０９】
１４…ＰＶ  １５…充放電スタンド  １６…ＥＶ  １００…ＨＥＭＳコントローラ  １０１…ＣＰＵ  １０３…入力部  １０４…出力部  １０９…通信部  １１０…記憶部  １５０…負荷  ３００…ＰＣＳ  ４１０…分電盤  ４２０…電力計  ５００…ＨＥＭＳセンタ  ５１０…通信ネットワーク  ５２０…ルータ  ６００…電力系統
【図１】
2019083667.tif 000003
【図２】
2019083667.tif 000004
【図３】
2019083667.tif 000005
【図４】
2019083667.tif 000006
【図５】
2019083667.tif 000007
【図６】
2019083667.tif 000008
【図７】
2019083667.tif 000009
【図８】
2019083667.tif 000010
【図９】
2019083667.tif 000011
【図１０】
2019083667.tif 000012
【図１１】
2019083667.tif 000013
【図１２】
2019083667.tif 000014